(57)【要約】【課題】発電手段を備え、発電手段の発電／非発電状態を検出する発電検出手段を有して、非発電状態では表示手段を停止させ節電状態に入る電子時計では、非発電を一定期間連続して検出してから節電状態に入るため、その出荷にあたり検査時間がかかる。【解決手段】完成時計での外部操作部材の操作、ムーブメント状態では外部操作部材の不可能な組合せ、回路状態では専用の端子で強制的に節電検査モードに設定し、節電状態への移行を短時間で行えるようにして効率の良い検査を行えるようにした。【選択図】      図５
2004354272.tif 000002
【特許請求の範囲】
【請求項１】
表示手段と、発電手段と、前記発電手段の発電の有無を検出する発電検出手段を有し、前記表示手段にて時刻などの情報を行う通常状態において、前記発電検出手段が、前記発電手段が発電を行なっていない非発電状態を検出すると前記表示手段を停止する節電状態に移行し、前記節電状態にて、前記発電手段が発電を行なっている発電状態を検出すると通常状態に復帰する電子時計において、当該電子時計を、前記発電検出手段の検出状態の如何に関わらず、前記節電状態へ強制的に移行させる節電制御手段を有することを特徴とする電子時計。
【請求項２】
前記節電制御手段は当該電子時計に備えられた外部操作部材の操作により作動することを特徴とする請求項１記載の電子時計。
【請求項３】
前記節電制御手段は、前記外部操作部材の操作後一定時間経過の後、当該電子時計を節電状態に移行させることを特徴とする請求項２記載の電子時計。
【請求項４】
前記外部操作部材の操作は、当該電子時計の完成時計状態では不可能な操作方法であることを特徴とする請求項２乃至３記載の電子時計。
【請求項５】
前記節電制御手段は、少なくとも前記外部操作部材とは別に設けられた専用の入力手段により作動することを特徴とする請求項１乃至４のいずれか１つに記載の電子時計。
【発明の詳細な説明】
【０００１】
【発明の属する技術分野】
本発明は電子時計に関する。
【０００２】
【従来の技術】
近年、ソーラセルのように光を電気に変換する発電手段を備え、発電手段からのエネルギーを二次電池に蓄え、指針などで構成される表示手段を駆動する電子時計が多数商品化されている。その中には、発電手段が発電（光が当たっている）状態か、非発電（光が当たっていない）状態かを検出する発電検出手段を有して、非発電状態では表示手段を停止させエネルギー消費を低減する節電状態に入るものは公知である。（例えば、特許文献１参照）
【０００３】
【特許文献１】
特開２００３−１３０９７３号公報（Ｐ３［００１３］１〜１１行、Ｐ６［００２８］１〜１０行）
【０００４】
【発明が解決しようとする課題】
上記のような節電機能を有する電子時計では、その出荷にあたり節電状態で発電検出手段が発電を検出することにより、節電状態が解除され通常状態に復帰することを検査する必要がある。
この検査は暗室に時計を入れて非発電状態にすることにより節電状態とし、その後、暗室から取り出すなどして発電を検出する明るさにすることで通常状態への復帰を確認することで行っている。
【０００５】
ところで、通常状態と節電状態との行き来が頻繁に行われると、表示手段が動作したり、停止したりを繰り返すために携帯者に要らぬ不安を与えてしまう。このような節電機能を備えた時計では節電状態に入る際に、非発電状態を長時間連続して検出することで入るように条件が付けられている。そのために、節電状態に入れるには長時間必要であり結果として検査時間が長くなってしまう。
【０００６】
また上記検査は完成時計状態だけでなく、ムーブメント状態、回路状態でも検査可能である必要がある。しかし、回路状態では発電手段、表示手段さらに外部操作部材の代用が可能な冶具を用意する必要がある。これらの冶具はコスト上の問題もあり、その数量は限られており、節電状態に入れる時間が長い分、検査の長時間化が避けられない。又、ムーブメント状態では外部操作部材が無く、操作性が悪く、必要以上に検査時間がより長くなる。そのため、回路やムーブメント状態での検査は大変非効率なため完成時計状態以外では検査を行わないのが現実である。その結果最終工程である完成時計の検査で不良が見つかる確率が高まり、付加部品及び検査、修正時間のロスコストが大きくなる。
そこで、本発明は節電状態へ短時間にて強制的に移行させることにより、節電状態への移行、通常状態への復帰を短時間で検査することを目的とするものである。
【０００７】
【課題を解決するための手段】
上記目的を達成するための本発明は次の様な構成としている。
表示手段と、発電手段と、前記発電手段の発電の有無を検出する発電検出手段を有し、前記表示手段にて時刻などの情報を行う通常状態において、前記発電検出手段が、前記発電手段が発電を行なっていない非発電状態を検出すると前記表示手段を停止する節電状態に移行し、前記節電状態にて、前記発電手段が発電を行なっている発電状態を検出すると通常状態に復帰する電子時計において、当該電子時計を、前記発電検出手段の検出状態の如何に関わらず、前記節電状態へ強制的に移行させる節電制御手段を有することを特徴とする。
【０００８】
さらに、前記節電制御手段は当該電子時計に備えられた外部操作部材の操作により作動することを特徴とする。
【０００９】
さらに、前記節電制御手段は、前記外部操作部材の操作後一定時間経過の後、当該電子時計を節電状態に移行させることを特徴とする。
【００１０】
さらに、前記外部操作部材の操作は、当該電子時計の完成時計状態では不可能な操作方法であることを特徴とする。
【００１１】
さらに、前記節電制御手段は、少なくとも前記外部操作部材とは別に設けられた専用の入力手段により作動することを特徴とする。
【００１２】
【発明の実施の形態】
以下図面に基づき本発明の実施例を説明する。
図１は本発明における電子時計の外観図である。５０は電子時計本体、３１は発電手段であるソーラセルの上に配置された光を透過させる文字盤である。２８ａ〜２８ｅは電子時計５０に備えられた２４時間制の時刻を表示する為の表示手段を構成する指針で、秒針２８ａ、分針２８ｂ、時針２８ｃ、２４時間針２８ｄ、クロノ等で使用する機能針２８ｅで構成されており、図１の表示状態は、時刻１０時１０分３５秒を表示している。
【００１３】
１３は外部操作部材であり、通常位置で回転操作をすることによりモードを指定する指定手段であるリューズである。該リューズ１３を操作することによりモード針３０は機械的に作動し、モード針３０によってモードを表示させ、１段目引き出し位置で回転操作することにより時刻修正等を行うことができる。１３ａは外部操作部材であり、クロノスタート／ストップ等をするためのプッシュボタンである。１３ｂは外部操作部材であり、クロノリセット／スプリット等をするためのプッシュボタンである。
【００１４】
図２は本発明における第一の実施例である電子時計の回路ブロック線図である。
１は水晶振動子を基準信号とする発振器であり、発振信号を出力する。２は発振器１からの発振信号を入力して分周信号Ｓ２を出力する分周回路である。３は周知のマイクロコンピュータ（以下マイコンと称す）であり、基本的にはＣＰＵ３ａ、ＲＯＭ３ｂ、ＲＡＭ３ｃより構成されている。ＲＯＭ３ｂにはＣＰＵ３ａを制御するプログラムが書込まれており、ＣＰＵ３ａはこのプログラムにしたがって、ＲＡＭ３ｃとの間でデータ授受をしながら分周信号Ｓ２を基準クロックとする計時動作等を行い、計時内容に応じた秒針２８ａ、分針２８ｂ、時針２８ｃ、２４時間針２８ｄ、機能針２８ｅの針位置を演算し、各針の制御を行う指針制御手段として機能する。又、ＣＰＵ３ａは、タイマ動作、入力信号に応じた動作及び出力信号の制御も行う。針位置を演算した結果はＲＡＭ３ｃ内の針位置記憶部３ｇに針位置データとして収められている。
【００１５】
４は交互に極性の異なる駆動パルスＳ４０、Ｓ４１、Ｓ４２を出力する変換機駆動回路であり、マイコン３からの運針方向（正転もしくは逆転）及び駆動パルス数を指定する選択信号Ｓ３０で選択された駆動パルスを出力し、ステップモータ５、６、７を駆動する。８、９、１０はスッテプモータ５、６、７に噛合わされる減速輪列系であり、該減速輪列系８の一部を構成する秒車に支持された秒針２８ａで秒、該減速輪列系９の一部を構成する分車、時車及び２４時間車に支持された分針２８ｂ、時針２８ｃで時分及び２４時間針２８ｄで２４時間、該減速輪列系１０の一部を構成する機能車に支持された機能針２８ｅで機能の表示を行う。時刻モード通常状態での駆動パルスＳ４０、Ｓ４１の出力はそれぞれ１秒、１５秒毎に出力されており、駆動パルスＳ４２は出力されない。
【００１６】
１４は駆動信号Ｓ１４を出力する音響駆動回路であり、マイコン３からのアラーム制御信号Ｓ３２で駆動信号Ｓ１４を出力し、スピーカ等で構成される音響装置１５を駆動し、アラーム音などを報知する。
【００１７】
１６は外部操作部材に連動して作動するスイッチ群であり、外部操作部材であるリューズ１３の通常位置の回転で作動するモード選択スイッチＳＷａ、ＳＷｂ、リューズ１３の１段引き出し位置（図示せず）に連動して作動するスイッチＳＷｃ、リューズ１３の１段引き出し位置で正回転操作（リューズを奥方向に回す）することにより作動する＋方向の修正スイッチＳＷｄ、逆回転操作（リューズを手前に回す）することにより作動する−方向の修正スイッチＳＷｅ、プッシュボタン１３ａ、１３ｂの操作で作動するスイッチＳＷｆ、ＳＷｇで構成されており、各スイッチの作動信号はマイコン３に入力されている。
【００１８】
マイコン３はスイッチ作動信号の入力により、ＲＯＭ３ｂに書込まれているプログラムに従いモード選択、修正動作等を行う。１８は発電状態を検出する発電検出手段を示す発電検出回路であり、発電手段であるソーラセル１７の発電の有無を検出し、検出信号Ｓ１８を出力する。マイコン３は定期的に検出信号Ｓ１８を読み込みソーラセル１７の非発電を連続して一定期間検出すると、ＲＯＭ３ｂに書込まれているプログラムに従い指針動作停止等を行う節電状態になる。
【００１９】
次に上記構成における電子時計の動作を図２に基づいて説明する。
電池投入等で全体を初期化する（図示は省略）所謂システムリセット直後に携帯者は指針２８を基準位置に合わせる操作を行う。操作は後述する基準位置合わせモードにし、リューズ１３の１段位置で、プッシュボタン１３ａで秒針２８ａを１２時位置、プッシュボタン１３ｂで機能針２８ｅを１２時位置、リューズ１３の回転操作で分針２８ｂ、時針２８ｃ、２４時間針２８ｄを０時位置に合わせ基準位置を設定する。基準位置設定を行い、リューズ１３を０段（通常位置）に押込むとマイコン３は基準位置設定が終了したことを記憶するとともに計時内容を１日午前１２時００分００秒にセットし、針位置記憶部３ｄにある秒針２８ａ、分針２８ｂ、時針２８ｃ、２４時間針２８ｄ、機能針２８ｅの針位置データを初期値に設定し、計時動作を開始し、秒針の１秒運針を行う。同時に針位置記憶部３ｇにある秒の針位置データも加算する。
【００２０】
次に主要モードについて説明する。
先ずモードの選択はリューズ１３を通常位置で回転することにより、モード選択スイッチＳＷａ、ＳＷｂが作動し、マイコン３はこれらモード選択スイッチの変化を検出してスイッチ情報を読み込み、表１の様にモードを決定する。
【表１】
2004354272.tif 000003
【００２１】
図１は時刻モードが選択指定された時の電子時計５０の外観図であり、モード針３０は時刻（ＴＭＥ）を指し、秒針２８ａ、分針２８ｂ、時針２８ｃ、２４時間針２８ｄは時刻１０時１０分３５秒を表示し、秒針２８ａは１秒運針を行っている。また機能針２８ｅは１２時位置で停止している。
【００２２】
次に時刻の合わせ方について説明する。
時刻モード通常状態（スイッチＳＷａ、ＳＷｂ、ＳＷｃ）＝（０，１、０）で、リューズ１３を１段目引きするとスイッチＳＷｃが作動し、マイコン３はスイッチＳＷｃ作動信号により、時刻（時分）修正状態を判断する。修正状態になると秒針２８ａを現在位置から１２時位置へ所謂帰零するためにマイコン３は秒針２８ａの運針方向（正転もしくは逆転）及び駆動パルス数を算出する。マイコン３は算出結果より、変換機駆動回路４に運針方向（正転もしくは逆転）及び駆動パルス数を指定する選択信号Ｓ３０を出力する。変換機駆動回路４は選択信号Ｓ３０により駆動パルスＳ４０を出力し、ステップモータ５を駆動し、減速輪列系８を介し、秒針２８ａを１２時位置まで駆動する。同時にマイコン３は計時動作を停止する。
【００２３】
この状態でリューズ１３を正回転操作することにより修正スイッチＳＷｄが作動する。マイコン３は修正スイッチＳＷｄ作動信号により、＋１分の修正を行うために変換機駆動回路４に正転運針方向及び駆動パルス数を指定する選択信号Ｓ３０を出力する。変換機駆動回路４は選択信号Ｓ３０により駆動パルスＳ４１を出力し、ステップモータ６を駆動し、減速輪列系９を介し、分針２８ｂを＋１分分駆動する。又最初の修正スイッチＳＷｄ作動信号が発生してから一定期間内に再度修正スイッチＳＷｄ作動信号が発生するとマイコン３は分針２８ｂを正転で連続駆動する選択信号Ｓ３０を出力し、正転連続修正を可能としている。
【００２４】
リューズ１３を逆回転操作すると修正スイッチＳＷｅが作動する。マイコン３は修正スイッチＳＷｄ作動信号により、−１分の修正を行うために変換機駆動回路４に逆転運針方向及び駆動パルス数を指定する選択信号Ｓ３０を出力する。変換機駆動回路４は選択信号Ｓ３０により駆動パルスＳ４１を出力し、ステップモータ６を駆動し、減速輪列系９を介し、分針２８ｂを−１分分駆動する。又最初の修正スイッチＳＷｅ作動信号が発生してから一定期間内に再度修正スイッチＳＷｅ作動信号が発生するとマイコン３は分針２８ｂを逆転で連続駆動する選択信号Ｓ３０を出力し、逆転連続修正を可能としている。
【００２５】
上記操作で時刻を合わせ、電話の報時サービスなど基準時計の００秒に合わせ、リューズ１３を押し込み時刻モード通常状態にするとスイッチＳＷｃがＯＦＦ状態になり、マイコン３は計時動作を開始し、秒針２８ａの１秒運針を開始し時刻表示を行う。
【００２６】
次に時刻モード通常状態で節電状態に移行する動作を説明する。
時刻モード通常状態では秒針２８ａは１秒運針を継続している。マイコン３は定期的に発電検出信号Ｓ１８の読み込みを行い、ソーラセル１７の非発電を一定時間（例えば３０秒間）連続的に検出、且つ秒針２８ａが１２時位置に到達した時点で、次からの秒針２８ａの１秒運針を停止し、節電状態に入る。節電状態でもマイコン３は時刻の計時を行っている。節電状態にてマイコン３はソーラセル１７の発電を検出すると計時内容に対応した現在秒へ秒針２８ａを駆動し、節電状態を解除し、通常状態へ復帰する。
【００２７】
この様子を図４の概略フローチャートを用いて更に説明する。
節電状態への移行は時刻モード通常状態で、発電検出回路１８がソーラセル１７の非発電を検出した（ステップ４０１；Ｙｅｓ）回数をＲＡＭ３Ｃ上のカウンタ３ｄにてカウントし（ステップ４０２）、前記カウンタ３ｄが規定値になった上で（ステップ４０３；Ｙｅｓ）、秒針２８ａが１２時位置に到達すると（ステップ４０４；Ｙｅｓ）ＲＡＭ３ｃ上の節電状態を示すフラグ３ｅをセットし、節電状態に入り秒針２８ａの運針を停止する（ステップ４０６）。節電状態及び通常状態で発電検出回路１８が発電を検出すると（ステップ４０１；Ｎｏ）、非発電回数をカウントするカウンタ３ｄをクリアして（ステップ４０７）フラグ３ｅをリセットし節電状態を解除する（ステップ４０８）。同時に秒針２８ａを現在秒に復帰させる。
【００２８】
次に本発明の主である強制的に節電状態に移行させる動作について説明する。リューズ１３が通常位置の状態で回転し、モード針３０がＰＳ（節電検査モード）を指示したところで回転を止める。マイコン３はスイッチ作動信号の入力により、スイッチ情報（スイッチＳＷａ、ＳＷｂ＝（０、０））を読み込み、節電検査モードに入る。
【００２９】
節電検査モードでは、今回の発明を実現するために組み入れられたモードである。このモードでは、移行すると少しのディレイを置いて発電検出回路１８の動作が許可されるように設定されている。それ以外の動作は、時刻モードと同じである。
【００３０】
以下、このモードの動作を実際の検査方法を元に説明する。
先ず、先ほど述べたようにリュ−ズ１３を通常状態で回転させ、節電検査モードとする。そして、非発電検出から発電検出を行わせるために先ず暗室に入れる。この間の時間として、前述したディレイは設定されている。そして、時計を暗室から明るいところへ出すことにより、発電検出回路１８が発電を検出し、節電状態を解除する。一旦節電状態を解除した後は、通常の時刻モードと動作は同じである。
【００３１】
前記ディレイは、時刻モード通常状態での節電状態移行を使用したカウンタ３ｄとは又別のカウンタを用いたタイマなどで作成する。ディレイ時間は、時計を暗室に入れるための時間なので５〜６秒レベルでよく、節電状態への移行時間よりはるかに短い時間でよいので、結果的に検査を大幅に短縮できる。
【００３２】
この様子を図５の概略フローチャートを用いて更に説明する。
強制的に節電状態に移行させるには節電検査モードで、非発電状態（環境を暗くする）にする時間を考慮したＲＡＭ３ｃ上に構成されたタイマ（図示せず）がカウントを開始する（ステップ５０２）。設定時間が経過し（ステップ５０３；Ｙｅｓ）、発電検出回路１８が非発電を検出すると（ステップ５０４；Ｙｅｓ）、秒針２８ａをその場で停止し（ステップ５０５）、節電状態に入る（ステップ５０６）。節電状態及び通常状態では発電検出回路１８が発電を検出すると（ステップ５０４；Ｎｏ）、タイマをクリアして（ステップ５０７）節電状態を解除する（ステップ５０８）。同時に秒針２８ａを現在秒に復帰する（ステップ５０９）。図５の概略フローチャートではソーラセル１７の非発電状態（環境を暗くする）にする時間を考慮して、分周信号Ｓ２を基準信号とするタイマも説明したが、直ぐに発電／非発電状態を判断（ステップ５０４）しても良い。
【００３３】
図３は本発明における第２の実施例である回路の検査を行うブロック線図であり、回路を検査冶具にセットすること検査を行う。表示手段２８、外部操作部材に連動して作動するスイッチ群１６、音響装置１５及び発電手段１７は冶具に予め備えられている。
マイコン３には検査専用の入力端子３ｆが設けられている。この入力端子３ｆは通常状態ではＶｓｓ電位（＝０）であり、Ｖｄｄ電位（＝１）に接続されると、マイコン３は表１のいかなるモード、いかなるリューズ１３の状態にもかかわらず強制的に節電検査モードに移行させる。節電検査モードに移行させて、発電手段１７への光を遮光する。以下図５の概略フローチャートにおける（ステップ５０４）以降の動作と同様に節電状態への移行、解除の検査を行うことができる。
【００３４】
この実施例は、時計仕様の関係で第１実施例における専用のテストモードを設置できないような場合に有効である。また、回路では、代用の発電手段１７での検査となるが、ムーブメント状態でもこの入力端子３ｆが操作できるようにしていれば、ソーラセル１７を組み込んだムーブメント状態での検査も可能となり、実際の時計で使う同じソーラセル１７での検査が可能となる。
【００３５】
このように専用端子を設けることにより回路単体やムーブメント状態での検査ができることで後工程へ不良の流出を防ぐことができる。なお、発電手段１７は発電の有無を電位レベルで出力するので、それぞれの電位をトグルスイッチの切換で回路に供給することにより発電手段１７の代用とすることができる。これにより測定する回路を暗室に入れることなく検査することが可能となり、作業効率が上がる。
【００３６】
ここでは、マイコン３に検査専用の入力端子３ｆが設けられていが、例えば、基板上のスペースが無い場合や、既成の回路を使う時のように、図２で示されるマイコン３のように検査専用の入力端子３ｆが設けられていない時は、前述した完成時計の外部操作部材では操作が不可能な組合せ、例えば、リューズ１３を正回転操作時の修正スイッチＳＷｄと逆回転操作時の修正スイッチＳＷｅが同時に作動する信号をマイコン３に入力することにより、節電検査モードに移行する方法もある。
この方法は、完成時計での検査を省き、ムーブメントや回路状態でのみ検査する場合に有効である。また、この方法は、完成時計で検査モードに入らないため検査モードになってしまい、不用の心配をユーザーに与えることがないという利点もある。
【００３７】
以上述べた本発明における第１、第２の実施例では秒針２８ａが現在秒へ運針することで節電状態が解除されたことを表示しているが、秒針８ａなどの表示手段の代わりに音響駆動回路１４の駆動信号Ｓ１で音響装置１５を駆動してもよい。これは、指針のついていないムーブメント状態や回路状態で特に有効である。なお、ここで紹介したのは音響手段であるが、照明手段を有する時計の場合は、その照明手段の点灯により検査結果の表示を行っても良い。
【００３８】
以上のように節電状態へ強制的に移行させる節電制御手段を設けることにより、節電状態への移行、通常状態への復帰を短時間で検査することができる。
【００３９】
【発明の効果】
上記のごとく本発明によれば、節電機能を有する電子時計で完成時計状態だけでなく、ムーブメント状態、回路単独でも節電状態への移行が短縮して検査できるので時間のロスと、さらに前工程で不良を見つけることで付加部品のロスコストを防止することができ、節電機能動作が保証された電子時計を供給できる。
【図面の簡単な説明】
【図１】本発明の一実施例である電子時計の外観である。
【図２】本発明の第１実施例である電子時計の回路ブロック線図である。
【図３】本発明の第２実施例である電子時計の回路ブロック線図である。
【図４】本発明の時刻モード通常状態での節電状態への移行動作を示すフローチャートである。
【図５】本発明の節電検査モードでの節電状態への移行動作を示すフローチャートである。
【符号の説明】
３  マイクロコンピュータ
３ａ  ＣＰＵ
３ｂ  ＲＯＭ
３ｃ  ＲＡＭ
３ｄ  カウンタ
３ｅ  フラグ
１５  音響装置
１７  発電手段
１８  発電検出手段
２８  表示手段
【図１】
2004354272.tif 000004
【図２】
2004354272.tif 000005
【図３】
2004354272.tif 000006
【図４】
2004354272.tif 000007
【図５】
2004354272.tif 000008